(57)【要約】  手乾燥装置は、空気を吸い込む吸気口（４）と吸気口（４）から吸い込んだ空気を吹き出すノズルとが形成された筐体（２）と、筐体（２）の内部に収容されて、吸気口（４）からノズルに向かう気流を発生させる送風機と、筐体（２）の内部に設けられて、吸気口（４）から送風機に向けて延びる吸気風路（１３）を形成する吸気風路体（１９）と、を備える。筐体（２）は、送風機を支持するベースと、吸気口（４）が形成されてベースから取り外し可能とされたカバー（５）と、を有する。吸気風路体（１９）は、カバー（５）に固定される。
2017022110.tif 000002
【特許請求の範囲】
【請求項１】
空気を吸い込む吸気口と前記吸気口から吸い込んだ空気を吹き出すノズルとが形成された筐体と、
前記筐体の内部に収容されて、前記吸気口から前記ノズルに向かう気流を発生させる送風機と、
前記筐体の内部に設けられて、前記吸気口から前記送風機に向けて延びる吸気風路を形成する吸気風路体と、を備え、
前記筐体は、前記送風機を支持するベースと、前記吸気口が形成されて前記ベースから取り外し可能とされたカバーと、を有し、
前記吸気風路体は、前記カバーに固定されることを特徴とする手乾燥装置。
【請求項２】
前記吸気風路と前記送風機とを結ぶ中間風路を形成する中間風路体をさらに備え、
前記中間風路体は、前記ベースに固定されることを特徴とする請求項１に記載の手乾燥装置。
【請求項３】
前記吸気風路と前記中間風路との接続部分は、前記吸気口よりも上方に設けられることを特徴とする請求項２に記載の手乾燥装置。
【請求項４】
前記カバーは鉛直面を有し、
前記吸気口は前記鉛直面に形成され、
前記吸気風路の底面は、前記吸気口に向けて下り傾斜となる傾斜面で形成されることを特徴とする請求項３に記載の手乾燥装置。
【請求項５】
前記吸気風路と前記中間風路との接続部分において、前記吸気風路体または前記中間風路体の一方に溝が形成され、他方に形成された嵌合部が前記溝に嵌ることを特徴とする請求項２に記載の手乾燥装置。
【発明の詳細な説明】
【技術分野】
【０００１】
本発明は、洗浄後の濡れた手に高速空気流を吹き付けて乾燥させる手乾燥装置に関する。
【背景技術】
【０００２】
濡れた手を乾燥させる手乾燥装置には、ノズルから噴出させた高速空気流を手に吹き付けることで、手に付着した水滴を吹き飛ばして乾燥させる手乾燥装置がある。このような手乾燥装置では、気流を発生させる送風機が筐体の内部に設けられる。また、筐体には、空気を吸い込む吸気口と、吸気口から吸い込まれた空気を噴出させるノズルとが形成される。また、筐体の内部には、吸気口と送風機との間を結ぶ吸気風路と、送風機とノズルとの間を結ぶ吐出風路とが設けられる。特許文献１には、ノズルの後方に吸気口が形成された手乾燥装置が開示されている。
【先行技術文献】
【特許文献】
【０００３】
【特許文献１】特許第５０９２５０５号公報
【発明の概要】
【発明が解決しようとする課題】
【０００４】
手から吹き飛ばされた水滴の一部が、ノズルの後方に設けられた吸気口から吸い込まれる場合がある。手乾燥装置は、筐体内部のメンテナンスを行うために、カバーを取り外すことで、内側の一部が露出される。このカバーに吸気口が形成されている場合には、カバーを取り付けた状態で、カバーの吸気口部分と吸気風路とが当接する。したがって、吸気口を通って筐体の内部に入ってすぐに、カバーと吸気風路との接続部分が設けられた構成となる。そのため、吸気口から吸い込まれた水滴が、吸気口と吸気風路との接続部分、すなわち吸気口と吸気風路との隙間を通って、筐体内部に侵入するおそれがある。【０００５】
本発明は、上記に鑑みてなされたものであって、筐体内部への水の侵入を防ぐことのできる手乾燥装置を得ることを目的とする。
【課題を解決するための手段】
【０００６】
上述した課題を解決し、目的を達成するために、本発明にかかる手乾燥装置は、空気を吸い込む吸気口と吸気口から吸い込んだ空気を吹き出すノズルとが形成された筐体と、筐体の内部に収容されて、吸気口からノズルに向かう気流を発生させる送風機と、筐体の内部に設けられて、吸気口から送風機に向けて延びる吸気風路を形成する吸気風路体と、を備える。筐体は、送風機を支持するベースと、吸気口が形成されてベースから取り外し可能とされたカバーと、を有する。吸気風路体は、カバーに固定される。
【発明の効果】
【０００７】
本発明にかかる手乾燥装置は、筐体内部への水の侵入を防ぐことができるという効果を奏する。
【図面の簡単な説明】
【０００８】
【図１】本発明の実施の形態１にかかる手乾燥装置の外観斜視図
【図２】実施の形態１にかかる手乾燥装置の側面図
【図３】実施の形態１にかかる手乾燥装置の下面図
【図４】実施の形態１にかかる手乾燥装置の断面図であって、図３に示すＡ−Ａ線に沿った矢視断面図
【図５】実施の形態１にかかる手乾燥装置のカバーを取り外す過程を示す図
【図６】実施の形態１におけるカバーを後方から見た斜視図
【図７】実施の形態１におけるカバーの吸気口部分を拡大した部分拡大断面図
【図８】実施の形態１にかかる手乾燥装置の断面図であって、図３に示すＢ−Ｂ線に沿った矢視断面図
【図９】実施の形態１におけるベースの斜視図
【図１０】実施の形態１にかかる手乾燥装置においてカバーを取り外した状態を後方から見た斜視図
【図１１】実施の形態１にかかる手乾燥装置の部分断面図であって、図５に示すＣ−Ｃ線に沿った矢視断面図
【図１２】実施の形態１における吸気風路体の変形例１を示す図であって、カバーを後方から見た斜視図
【図１３】実施の形態１における吸気風路体の変形例２を示す図であって、カバーを後方から見た図
【発明を実施するための形態】
【０００９】
以下に、本発明の実施の形態にかかる手乾燥装置を図面に基づいて詳細に説明する。なお、この実施の形態によりこの発明が限定されるものではない。
【００１０】
実施の形態１．
図１は、本発明の実施の形態１にかかる手乾燥装置の外観斜視図である。図２は、実施の形態１にかかる手乾燥装置の側面図である。図３は、実施の形態１にかかる手乾燥装置の下面図である。図４は、実施の形態１にかかる手乾燥装置の断面図であって、図３に示すＡ−Ａ線に沿った矢視断面図である。
【００１１】
以下の説明において、図１に示すＸ軸に沿った正の方向を前方、負の方向を後方とする前後方向で説明する。また、Ｙ軸に沿った正の方向を右方、負の方向を左方とする左右方向で説明する。また、Ｚ軸に沿った正の方向を下方、負の方向を上方とする上下方向で説明する。また、図面中に示す矢印のうち、Ｘ軸、Ｙ軸、Ｚ軸および切断面を示す矢印を除く矢印は、空気の流れを示している。
【００１２】
手乾燥装置１は、図１に示すように、箱体形状を呈して外郭を構成する筐体２を備える。図２に示すように、筐体２の上面２ａおよび下面２ｂは、後方部分よりも前方部分が下方に位置する傾斜面となっている。なお、筐体２の側面２ｅは、平行四辺形形状を呈しており、手乾燥装置１の設置姿勢において、筐体２の前面２ｃおよび後面２ｄが鉛直面となる。また、手乾燥装置１の設置姿勢において、側面２ｅも鉛直面となっている。
【００１３】
筐体２は、ベース８とカバー５とを備える。ベース８は、筐体２の後面２ｄを構成する。カバー５は、筐体２の上面２ａ、下面２ｂ、前面２ｃおよび側面２ｅを構成する。図５は、実施の形態１にかかる手乾燥装置１のカバー５を取り外す過程を示す図である。図５に示すように、カバー５は、ベース８から取り外すことが可能となっている。
【００１４】
図３および図４に示すように、カバー２の下面２ｂには、高速空気流を噴出する吹出口であるノズル３と、下面２ｂの下方の高速気流が吹き付けられる位置に手が有るか否かを判断する手検知センサー９とが設けられる。図２に示すように、カバー２の側面２ｅには、空気を吸い込む吸気口４が設けられている。吸気口４は、格子１６によって複数の開口に分割されている。吸気口４は吹出口３より上方に配置されている。吸気口４がノズル３より上方に配置されることで、手から吹き飛ばされた水滴が吸込口４に到達しにくくなる。また、吸気口４は、図２に示すように、平行四辺形形状で形成されており、その底辺の前方側の端が後方側の端より下方となるように傾斜している。また、吸込口４が格子１６によって複数の開口に分割されているので、吸込口４の中へ指などが入ることを防止できる。
【００１５】
カバー５は、樹脂で構成されてもよい。抗菌入り樹脂を用いてカバー５を形成すれば、菌の繁殖を抑制できる。また、カバー５は、金属で構成されてもよい。金属を用いてカバー５を形成すれば、筐体２の堅牢性の向上を図ることができる。
【００１６】
図６は、実施の形態１におけるカバー５を後方から見た斜視図である。カバー５の内側、すなわち筐体２の内側には、吸気口４から後述する送風機６（図４も参照）に向けて延びる吸気風路１３が形成される。なお、吸気風路１３は、吸気口４から上方に向けて延びるように形成される。また、吸気風路１３は、カバー５の内側に設けられた吸気風路体１９によって形成される。吸気風路体１９は、ねじ２３を用いてカバー５に固定される。したがって、カバー５をベース８から取り外す場合には、カバー５と吸気風路体１９とが一体となってベース８から取り外される。
【００１７】
吸気風路１３のうち吸気口４よりも上部となる側面には、開口である接続口１３ａが形成されている。本実施の形態１では、吸気風路１３の後方側の全面が開口とされている。吸気風路１３の後方側の開口は、カバー４をベース８に取り付けることで、ベース８に塞がれる。
【００１８】
図７は、実施の形態１におけるカバー５の吸気口４部分を拡大した部分拡大断面図である。カバー５と吸気風路体１９との間には、吸気口４を囲むようにパッキン１７が挟み込まれている。パッキン１７は、例えばゴムで形成されている。カバー５と吸気風路体１９との間にパッキン１７が挟み込まれているので、カバー５と吸気風路１９との間から筐体２の内部に埃および水が侵入しにくくなる。また、吸気口４にフィルター１５を設けることで、吸気口４から吸い込まれる空気に含まれる塵が吸気風路１３に侵入しにくくなる。
【００１９】
図７に示すように、吸気口４と吸気風路体１９との接続部分では、吸気風路１３の底面１３ｂが、吸気口４側が下方となるように傾斜している。図８は、実施の形態１にかかる手乾燥装置の断面図であって、図３に示すＢ−Ｂ線に沿った矢視断面図である。図８に示すように、吸気風路体１９は、ベース８側となる端部１３ｃが、ベース８に形成された溝２１に嵌合部として嵌り込む。なお、吸気風路体１９に溝が形成されて、ベース８に嵌合部が形成されてもよい。また、図８に示すように、吸気風路体１９の底面１３ｂは、前方のほうが後方よりも下方となる傾斜面となっている。
【００２０】
図４に示すように、筐体２の内部には送風機６が設けられる。図９は、実施の形態１におけるベース８の斜視図である。図１０は、実施の形態１にかかる手乾燥装置１においてカバー５を取り外した状態を後方から見た斜視図である。図９に示すように、送風機６はベース８に固定される。
【００２１】
また、ベース８には、中間風路体２０が固定される。中間風路体２０は、吸気風路１３と送風機６とを結ぶ中間風路１４を形成する部材である。図１１は、実施の形態１にかかる手乾燥装置の部分断面図であって、図５に示すＣ−Ｃ線に沿った矢視断面図である。中間風路体２０は、吸気風路体１９の接続口１３ａに接続される。
【００２２】
中間風路体２０と吸気風路体１９との接続部分では、中間風路体２０に形成された溝２０ａに、吸気風路体１９の接続口１３ａの縁部が嵌合部として嵌り込む。図４に戻って、筐体２の内部には、筐体２に形成されたノズル３と送風機６とを結ぶ吹出風路１２が形成される。また、吹出風路１２には、吹出風路１２を通過する空気を暖めるヒータ１０が設けられる。また、筐体２の内部には、手乾燥装置１の動作を制御する制御部７が設けられている。また、図示を省略するが、筐体２の内部には、風量を調整する操作スイッチと室温を検知するルームサーモとが設けられている。
【００２３】
以上説明した手乾燥装置１では、筐体２の下方に手が差し込まれた際に、ノズル３の周囲に手が存在することを手検知センサー９が検知すると、制御部７によって送風機６が運転される。送風機６が運転すると、筐体２の吸気口４からノズル３に向かう気流が発生される。すなわち、送風機６が運転すると、吸気口４から空気が吸い込まれて、吸い込まれた空気が吸気風路１３、中間風路１４、送風機６、吹出風路１２を経由してノズル３から噴出される。ノズル３から噴出された空気は、筐体２の下方にある手に吹き付けられて、手に付着している水滴を吹き飛ばす。筐体２の下方から手が抜き取られて、ノズル３の周囲に手が存在しないことを手検知センサー９が検知すると、制御部７によって送風機６の運転が停止される。制御部７は、ルームサーモによって検知された室温が低い場合には、ヒータ１０に通電して、ノズル３から噴出される空気の温度を上昇させる。
【００２４】
筐体２の下面２ｂにノズル３が形成され、鉛直面である側面２ｅに吸気口４が形成されている。すなわち、ノズル３よりも上方に吸気口４が形成されているため、手から吹き飛ばされた水滴が、吸気口４から吸気風路１３に吸い込まれにくくなる。
【００２５】
また、吸気風路体１９は、カバー５と一体となって取り外せるようにカバー５に固定されている。そのため、吸気風路体１９とカバー５との間にパッキン１７を挟み込んで、吸気風路体１９とカバー５との緊密性を向上させることができる。したがって、吸気風路１３に水滴が吸い込まれたとしても、吸気風路体１９とカバー５との間から筐体２の内部に侵入しにくくなっている。また、吸気風路体１９がカバー５に固定されているため、カバー５のベース８への取り付け具合によって吸気風路体１９とカバー５との間に隙間が発生することがなくなる。そのため、吸気風路体１９とカバー５との隙間から筐体２の内部に水がより一層侵入しにくくなっている。
【００２６】
また、吸気風路１３と中間風路１４との接続部分が、吸気口４よりも上方に設けられているので、吸気風路１３に吸い込まれた水滴が、吸気風路体１９と中間風路体２０の接続部分に到達しにくくなる。これにより、吸気風路体１９と中間風路体２０との接続部分から筐体２の内部に水が侵入しにくくなる。この効果は、吸気風路体１９の接続口１３ａの下端が、吸気口４の上端よりも上方となるように構成すること、すなわち、吸気風路体１９の接続口１３ａの全体が吸気口４の全体よりも上方となるように構成することで、より確実に発揮される。また、吸気風路体１９と中間風路体２０との接続構造を防水のために複雑化する必要がなくなるため、構造の簡素化によりコストの抑制を図ることができる。      
【００２７】
このように、本実施の形態１にかかる手乾燥装置１では、吸気口４から一定の範囲までの風路を、水の漏れが生じにくい構成とすることで、筐体２の内部への水の侵入を防いでいる。そして、カバー４と吸気風路体１９とでパッキン１７を挟んで構成された吸気口４部分よりも水が侵入しやすくなる接続口１３ａ部分は、吸気口４よりも上方に設けることで、接続口１３ａ部分に水が到達しにくくして、筐体２の内部への水の侵入を防いでいる。
【００２８】
また、吸気風路１３の底面１３ｂに付着した水滴は、図７に示すような吸気口４側が下方となる傾斜によって、吸気口４側に誘導されて吸気口４から外部に排出されやすくなっている。また、図８に示すような底面１３ｂの前方側が下方となる傾斜によって、底面１３ｂに付着した水滴を前方に誘導することができる。これにより、吸気風路体１９とベース８との接続部分から水滴を遠ざけて、吸気風路体１９とベース８との接続部分から筐体２の内部に水が侵入することを防ぐことができる。
【００２９】
また、送風機６の運転によって発生する騒音の一部は、中間風路１４および吸気風路１３を通り、吸気口４から筐体２の外部に漏れるが、側面２ｅに吸気口４が形成されているため、筐体２の前面２ｃ側に立つ使用者に騒音として伝わりにくくなっている。
【００３０】
図１２は、実施の形態１における吸気風路体１９の変形例１を示す図であって、カバー５を後方から見た斜視図である。図１２に示すように、後方側を塞いで吸気風路体１９を形成してもよい。
【００３１】
図１３は、実施の形態１における吸気風路体１９の変形例２を示す図であって、カバー５を後方から見た図である。図１３に示すように、吸気風路体１９の対向する壁面に、気流の方向に沿って間隔をあけて複数のリブ２２を形成し、吸気風路１３をラビリンス構造にしてもよい。複数のリブ２２によって吸気風路１３をラビリンス構造にすることで、送風機６の運転によって発生した騒音が、リブ２２および吸気風路１３の壁面に衝突することによる消音効果の向上を図ることができる。また、吸気風路１３内に吸い込まれた水滴が、リブ２２に衝突するため、吸気風路体１９と中間風路体２０（図９も参照）との接続部分により一層到達しにくくなる。
【００３２】
本実施の形態１では、吸気口４と送風機６とを結ぶ風路が、吸気風路体１９と中間風路体２０とで分割して形成されているが、吸気風路体１９と中間風路体２０とを一体の風路体として形成し、この一体に形成された風路体をカバー５に固定してもよい。また、吸気風路１３の底面１３ｂは、図７および図８に示すような傾斜面でなくてもよく、水平面であってもよい。
【００３３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３４】
１  手乾燥装置、２  筐体、２ａ  上面、２ｂ  下面、２ｃ  前面、２ｄ  後面、２ｅ  側面、３  ノズル（吹出口）、４  吸気口、５  カバー、６  送風機、７  制御部、８  ベース、９  手検知センサー、１０  ヒータ、１２  吹出風路、１３  吸気風路、１３ａ  接続口、１３ｂ  底面、１４  中間風路、１５  フィルター、１６  格子、１７  パッキン、１９  吸気風路体、２０  中間風路体、２０ａ  溝、２１  溝、２２  リブ、２３  ねじ。
【図１】
2017022110.tif 000003
【図２】
2017022110.tif 000004
【図３】
2017022110.tif 000005
【図４】
2017022110.tif 000006
【図５】
2017022110.tif 000007
【図６】
2017022110.tif 000008
【図７】
2017022110.tif 000009
【図８】
2017022110.tif 000010
【図９】
2017022110.tif 000011
【図１０】
2017022110.tif 000012
【図１１】
2017022110.tif 000013
【図１２】
2017022110.tif 000014
【図１３】
2017022110.tif 000015
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
空気を吸い込む吸気口と前記吸気口から吸い込んだ空気を吹き出すノズルとが形成された筐体と、
前記筐体の内部に収容されて、前記吸気口から前記ノズルに向かう気流を発生させる送風機と、
前記筐体の内部に設けられて、前記吸気口と前記送風機とを結ぶ風路の少なくとも一部を構成する吸気風路を形成する吸気風路体と、を備え、
前記筐体は、前記送風機を支持するベースと、前記吸気口が形成されて前記ベースから取り外し可能とされたカバーと、を有し、
前記吸気風路体は、前記カバーに固定されることを特徴とする手乾燥装置。
【請求項２】
前記吸気風路と前記送風機とを結ぶ中間風路を形成する中間風路体をさらに備え、
前記中間風路体は、前記ベースに固定されることを特徴とする請求項１に記載の手乾燥装置。
【請求項３】
前記吸気風路と前記中間風路との接続部分は、前記吸気口よりも上方に設けられることを特徴とする請求項２に記載の手乾燥装置。
【請求項４】
前記カバーは鉛直面を有し、
前記吸気口は前記鉛直面に形成され、
前記吸気風路の底面は、前記吸気口に向けて下り傾斜となる傾斜面で形成されることを特徴とする請求項３に記載の手乾燥装置。
【請求項５】
前記吸気風路と前記中間風路との接続部分において、前記吸気風路体または前記中間風路体の一方に溝が形成され、他方に形成された嵌合部が前記溝に嵌ることを特徴とする請求項２に記載の手乾燥装置。
【国際調査報告】
2017022110.tif 000016
2017022110.tif 000017